(57)【要約】【課題】ノイズ発生防止用の抵抗体を備えるリレーにおいて、リレーの小型化および組み付け工程の簡素化を図る。【解決手段】コイルの通電遮断時のノイズ発生を防止する抵抗体２３を、樹脂製のベース１７に一体化してリレーの小型化を図る。また、抵抗体２３をベース１７に一体成形する際に抵抗体２３がベース１７に組み付けられるため、リレーの組み付け工程の簡素化を図ることができる。さらに、コイル端子２０、２１をベース１７に圧入固定することにより抵抗体２３とコイル端子２０、２１との電気的接続が完了するため、リレーの組み付け工程の簡素化を図ることができる。【選択図】        図３
2004247126.tif 000002
【特許請求の範囲】
【請求項１】
通電時に電磁力を発生するコイル（１３）と、前記コイルに接続されたコイル端子（２０、２１、１２０、１２１）と、前記コイルを保持する樹脂製のベース（１７、１１７）と、前記ベースに嵌合されて前記コイルを覆う樹脂製のケース（２２、１２２）とを備える電磁継電器において、
前記コイルの通電遮断時のノイズ発生を防止する抵抗体（２３、２４、２５、１２３、１２４、１２５）が、前記ベースおよび前記ケースのいずれか一方に一体成形されるとともに、前記抵抗体に前記コイル端子が電気的に接続されていることを特徴とする電磁継電器。
【請求項２】
前記抵抗体（１２３、１２４、１２５）が前記ケース（１２２）に一体成形されていることを特徴とする請求項１に記載の電磁継電器。
【請求項３】
前記抵抗体（１２３、１２４、１２５）は前記ケース（１２２）の内面側に一体成形され、
前記コイル端子（１２０、１２１）は、前記ベース（１１７）に装着されるとともに、前記ケースを前記ベースに嵌合したときに前記抵抗体と接触する位置に配置されていることを特徴とする請求項２に記載の電磁継電器。
【請求項４】
前記抵抗体（２３、２４、２５）が前記ベース（１７）に一体成形されるとともに、前記コイル端子（２０、２１）が前記ベース（１７）に装着され前記抵抗体に電気的に接続されていることを特徴とする請求項１に記載の電磁継電器。
【請求項５】
前記抵抗体（２３、１２３）は高熱伝導性セラミックよりなることを特徴とする請求項１ないし４のいずれか１つに記載の電磁継電器。
【請求項６】
通電時に電磁力を発生するコイル（１３）と、前記コイルに接続されたコイル端子（１２０、１２１）と、前記コイルを保持する樹脂製のベース（１１７）と、前記ベースに嵌合されて前記コイルを覆う樹脂製のケース（２２２）とを備える電磁継電器において、
前記ケースは、前記コイル端子が電気的に接続されるとともに、導電性樹脂にて形成されて、前記コイルの通電遮断時のノイズ発生を防止する抵抗体の機能を有することを特徴とする電磁継電器。
【請求項７】
前記コイル端子（１２０、１２１）は、前記ベース（１１７）に装着されるとともに、前記ケース（２２２）を前記ベースに嵌合したときに前記ケースと接触する位置に配置されていることを特徴とする請求項６に記載の電磁継電器。
【発明の詳細な説明】
【０００１】
【発明の属する技術分野】
本発明は、電気回路の開閉を行う電磁継電器に関するものである。
【０００２】
【従来の技術】
従来の電磁継電器（以下、リレーと呼ぶ。）は、コイルに抵抗体を並列に接続して、コイルへの通電を遮断する時のノイズ発生を防止するようにしている（例えば、特許文献１参照）。そして、図７に示すように、ベース５１７にコイル端子５２０、５２１を圧入等により固定した後、抵抗体５２３のリード５２３ａ、５２３ｂをコイル端子５２０、５２１に圧入、はんだ付けまたは溶接等にて接続し固定することにより、抵抗体５２３をベース５１７に装着するようになっている。
【０００３】
【特許文献１】
登録実用新案第２６０６４６０号公報
【０００４】
【発明が解決しようとする課題】
しかしながら、上記した従来のリレーは、抵抗体５２３の収納スペースを他の部品と干渉しない場所に設ける必要があるため、それがリレーの小型化を妨げる要因になっており、また、例えばコイル端子５２０、５２１の固定と抵抗体５２３の固定は別工程で実施せざるを得ないなど、リレー組み付け工程の簡素化を阻害する要因が多々存在していた。
【０００５】
本発明は上記の点に鑑みてなされたもので、ノイズ発生防止用の抵抗体を備えるリレーにおいて、リレーの小型化を可能にすることを目的とする。また、リレーの組み付け工程の簡素化を可能にすることを他の目的とする。
【０００６】
【課題を解決するための手段】
上記目的を達成するため、請求項１に記載の発明では、通電時に電磁力を発生するコイル（１３）と、コイルに接続されたコイル端子（２０、２１、１２０、１２１）と、コイルを保持する樹脂製のベース（１７、１１７）と、ベースに嵌合されてコイルを覆う樹脂製のケース（２２、１２２）とを備える電磁継電器において、コイルの通電遮断時のノイズ発生を防止する抵抗体（２３、２４、２５、１２３、１２４、１２５）が、ベースおよびケースのいずれか一方に一体成形されるとともに、抵抗体にコイル端子が電気的に接続されていることを特徴とする。
【０００７】
これによると、抵抗体はベースまたはケースに一体化されるため、リレーの小型化を図ることができる。また、ベースまたはケースを成形する際に、抵抗体がベースまたはケースに組み付けられるため、リレーの組み付け工程の簡素化を図ることができる。
【０００８】
請求項２に記載の発明では、抵抗体（１２３、１２４、１２５）がケース（１２２）に一体成形されていることを特徴とする。これによると、ベース内に抵抗体の収納スペースを必要としない分ベースをさらに小さくできるため、リレーをさらに小型にすることができる。
【０００９】
請求項３に記載の発明では、抵抗体（１２３、１２４、１２５）はケース（１２２）の内面側に一体成形され、コイル端子（１２０、１２１）は、ベース（１１７）に装着されるとともに、ケースをベースに嵌合したときに抵抗体と接触する位置に配置されていることを特徴とする。
【００１０】
これによると、ケースをベースに嵌合することにより、抵抗体とコイル端子との電気的接続が完了するため、リレーの組み付け工程の簡素化を図ることができる。
【００１１】
請求項４に記載の発明では、抵抗体（２３、２４、２５）がベース（１７）に一体成形されるとともに、コイル端子（２０、２１）がベース（１７）に装着され抵抗体に電気的に接続されていることを特徴とする。
【００１２】
これによると、リード付きの抵抗体の収納スペースを必要としないため、リレーの小型化を図ることができる。
【００１３】
請求項５に記載の発明のように、抵抗体（２３、１２３）は高熱伝導性セラミック製とすることができる。
【００１４】
請求項６に記載の発明では、通電時に電磁力を発生するコイル（１３）と、コイルに接続されたコイル端子（１２０、１２１）と、コイルを保持する樹脂製のベース（１１７）と、ベースに嵌合されてコイルを覆う樹脂製のケース（２２２）とを備える電磁継電器において、ケースは、コイル端子が電気的に接続されるとともに、導電性樹脂にて形成されて、コイルの通電遮断時のノイズ発生を防止する抵抗体の機能を有することを特徴とする。
【００１５】
これによると、ケース自体に抵抗体の機能を持たせているため、ベースを小さくでき、リレーを小型にすることができる。また、抵抗体の組み付け工程を省くことができ、リレーの組み付け工程の簡素化を図ることができる。
【００１６】
請求項７に記載の発明では、コイル端子（１２０、１２１）は、ベース（１１７）に装着されるとともに、ケース（２２２）をベースに嵌合したときにケースと接触する位置に配置されていることを特徴とする。
【００１７】
これによると、ケースをベースに嵌合することにより、抵抗体の機能を有するケースとコイル端子との電気的接続が完了するため、リレーの組み付け工程の簡素化を図ることができる。
【００１８】
なお、上記各手段の括弧内の符号は、後述する実施形態に記載の具体的手段との対応関係を示すものである。
【００１９】
【発明の実施の形態】
（第１実施形態）
図１〜図３は本発明になる電磁継電器（リレー）の第１実施形態を示すものである。図１はリレーの正面図で、内部構成を明瞭にするためにケース２２を断面にして示している。図２は図１に示すリレーの要部のＡ視図で、ベース１７に端子１８〜２１と抵抗体２３を組み付けた状態を示している。図３は図２のＢ−Ｂ線に沿う断面図である。
【００２０】
図１〜図３において、１０は金属製の固定接点であり、１１は固定接点１０に対して可動する金属製の可動接点である。この可動接点１１は板バネ１２にかしめ固定されている。板バネ１２は、可動接点１１が固定接点１０から離れる向きの弾性力を可動接点１１に作用させるとともに、電気回路の一部を兼ねる。また、板バネ１２には、コイル１３および固定鉄心１４側に吸引される可動鉄片１５が装着されている。
【００２１】
ヨーク１６は、コイル１３により誘起された磁束の磁路を構成するとともに、コイル１３および板バネ１２を保持する。樹脂製のベース１７には、固定接点１０が設けられた第１接点端子１８、ヨーク１６および板バネ１２を介して可動接点１１と電気的に繋がった第２接点端子１９、およびコイル１３に電力を供給する第１および第２コイル端子２０、２１等が圧入固定されている。コイル１３を保持するヨーク１６もベース１７に圧入固定されており、したがってコイル１３は間接的にベース１７に保持固定されている。２２は、ベース１７に嵌合されてコイル１３等を覆う樹脂製のケースである。
【００２２】
本実施形態のリレーは、特に図３に示すように、所定の電気抵抗を有して、コイルへ１３への通電を遮断する時のノイズ発生を防止する抵抗体本体２３、および、抵抗体本体２３と第１および第２コイル端子２０、２１とを電気的に接続するための第１および第２抵抗体電極２４、２５が、インサート成形によってベース１７と一体成形されている。なお、抵抗体本体２３と、第１および第２抵抗体電極２４、２５が、本発明の抵抗体に相当する。
【００２３】
ベース１７は例えばポリブチレンテレフタレート（ＰＢＴ）樹脂よりなり、抵抗体本体２３は例えば高熱伝導性セラミックよりなり、第１および第２抵抗体電極２４、２５は、例えば黄銅のようなインサート金具または銅箔を用いている。
【００２４】
第１コイル端子２０は、ベース１７とケース２２とによって形成される内部空間側に配置された内側端部２０ａと、ベース１７から外部空間側に突出して、図示しないコネクタ端子に接続される外側端部２０ｂとを有する。同様に、第２コイル端子２１は、内部空間側に配置された内側端部２１ａと、ベース１７から外部空間側に突出して、図示しないコネクタ端子に接続される外側端部２１ｂとを有する。
【００２５】
そして、第１および第２コイル端子２０、２１をベース１７に圧入固定することにより、第１コイル端子２０の内側端部２０ａが第１抵抗体電極２４に当接し、第２コイル端子２１内側端部２１ａが第２抵抗体電極２５に当接するようになっている。これにより、抵抗体本体２３はコイル１３に並列に接続される。
【００２６】
上記構成からなるリレーは、コイル１３に通電すると、その電磁吸引力により可動鉄片１５が固定鉄心１４に吸引され、可動接点１１が固定接点１０に当接するので、電気回路が閉じる。一方、コイル１３への通電が遮断されると、板バネ１２の弾性力により可動接点１１が固定接点１０から離れるので、電気回路が開く。コイル１３への通電が遮断される際、抵抗体本体２３によりノイズ発生が防止される。
【００２７】
本実施形態では、抵抗体本体２３はベース１７内に収納されるためリレーの小型化を図ることができる。
【００２８】
また、抵抗体本体２３はベース１７と一体成形され、ベース１７を成形する際に抵抗体本体２３がベース１７に組み付けられるため、リレーの組み付け工程の簡素化を図ることができる。
【００２９】
さらに、第１および第２コイル端子２０、２１をベース１７に圧入固定することにより、抵抗体本体２３と第１および第２コイル端子２０、２１との電気的接続が完了するため、リレーの組み付け工程の簡素化を図ることができる。
【００３０】
（第２実施形態）
次に、図４および図５に示す第２実施形態について説明する。第１実施形態では抵抗体本体２３をベース１７内に配置したが、本実施形態では抵抗体本体１２３をケース１２２内に配置したものである。なお、図４（ａ）はケース１２２の正面断面図、図４（ｂ）はケース１２２の側面断面図、図５はベース１１７およびコイル端子１２０、１２１の正面断面図である。
【００３１】
図４において、例えば高熱伝導性セラミックよりなる抵抗体本体１２３と、抵抗体本体１２３の両端に配置された第１および第２抵抗体電極１２４、１２５が、インサート成形によってケース１２２の内面側に一体成形されている。
【００３２】
ケース１２２は例えばポリブチレンテレフタレート樹脂よりなり、抵抗体本体１２３は例えば高熱伝導性セラミックよりなり、第１および第２抵抗体電極１２４、１２５は、例えば黄銅のようなインサート金具または銅箔を用いている。なお、抵抗体本体１２３と、第１および第２抵抗体電極１２４、１２５が、本発明の抵抗体に相当する。
【００３３】
図５において、第１コイル端子１２０は、ベース１１７とケース１２２とによって形成される内部空間側に配置された内側端部１２０ａと、ベース１１７から外部空間側に突出して、図示しないコネクタ端子に接続される外側端部１２０ｂとを有する。同様に、第２コイル端子１２１は、内部空間側に配置された内側端部１２１ａと、ベース１１７から外部空間側に突出して、図示しないコネクタ端子に接続される外側端部１２１ｂとを有する。
【００３４】
内側端部１２０ａ、１２１ａは、ケース１２２をベース１１７に嵌合したときに第１および第２抵抗体電極１２４、１２５と接触する位置に配置されている。また、内側端部１２０ａ、１２１ａにおける第１および第２抵抗体電極１２４、１２５と接触する接触部１２０ｃ、１２１ｃは、バネ性を持たせた形状にして、第１および第２抵抗体電極１２４、１２５との間で確実且つ安定した接触状態が確保されるようにしている。
【００３５】
本実施形態では、抵抗体本体１２３をケース１２２に一体成形しているため、ベース１１７を著しく小さくでき、したがって、リレーをさらに小型にすることができる。
【００３６】
また、抵抗体本体１２３はケース１２２と一体成形され、ケース１２２を成形する際に抵抗体本体１２３がケース１２２に組み付けられるため、リレーの組み付け工程の簡素化を図ることができる。
【００３７】
さらに、ケース１２２をベース１１７に嵌合することにより、抵抗体本体２３と第１および第２コイル端子１２０、１２１との電気的接続が完了するため、リレーの組み付け工程の簡素化を図ることができる。
【００３８】
（第３実施形態）
次に、図６に示す第３実施形態について説明する。第２実施形態では抵抗体本体１２３をケース１２２内に配置したが、本実施形態ではケース２２２自体に抵抗体の機能を持たせたものである。なお、図６（ａ）はケース２２２の正面断面図、図６（ｂ）はケース２２２の側面断面図である。
【００３９】
図６において、ケース２２２は、全体が導電性樹脂にて形成されて所定の抵抗値に設定されており、コイルの通電遮断時のノイズ発生を防止する抵抗体の機能を有する。このケース２２２を図５に示すベース１１７に嵌合することにより、ケース２２２とコイル端子１２０、１２１の接触部１２０ｃ、１２１ｃとが接触するようになっている。
【００４０】
本実施形態では、ケース２２２自体に抵抗体の機能を持たせているため、ベース１１７を小さくでき、リレーを小型にすることができる。
【００４１】
また、抵抗体の組み付け工程を省くことができ、リレーの組み付け工程の簡素化を図ることができる。
【００４２】
また、ケース２２２をベース１１７に嵌合することにより、抵抗体の機能を有するケース２２２とコイル端子１２０、１２１との電気的接続が完了するため、リレーの組み付け工程の簡素化を図ることができる。
【００４３】
（他の実施形態）
上記第１実施形態では、抵抗体本体２３を高熱伝導性セラミック製としてインサート成形したが、抵抗体本体２３を導電性樹脂製として抵抗体本体２３とベース１７を２色成形してもよい。同様に、第２実施形の抵抗体本体１２３を導電性樹脂製として抵抗体本体１２３とケース１２２を２色成形してもよい。
【図面の簡単な説明】
【図１】本発明の第１実施形態になる電磁継電器の全体構成を示す正面図である。
【図２】図１の電磁継電器の要部のＡ視図である。
【図３】図２のＢ−Ｂ線に沿う断面図である。
【図４】本発明の第２実施形態になる電磁継電器のケース部構成を示すもので、（ａ）はケースの正面断面図、（ｂ）はケースの側面断面図である。
【図５】本発明の第２実施形態になる電磁継電器のベースおよびコイル端子部構成を示す正面断面図である。
【図６】本発明の第３実施形態になる電磁継電器のケース部構成を示すもので、（ａ）はケースの正面断面図、（ｂ）はケースの側面断面図である。
【図７】従来の電磁継電器を示す要部の平面図である。
【符号の説明】
１３…コイル、１７、１１７…ベース、２０、２１、１２０、１２１…コイル端子、２２、１２２、２２２…ケース、２３、１２３…抵抗体を構成する抵抗体本体、２４、２５、１２４、１２５…抵抗体を構成する抵抗体電極。
【図１】
2004247126.tif 000003
【図２】
2004247126.tif 000004
【図３】
2004247126.tif 000005
【図４】
2004247126.tif 000006
【図５】
2004247126.tif 000007
【図６】
2004247126.tif 000008
【図７】
2004247126.tif 000009